(57)【要約】【課題】圧縮着火式エンジンの運転状態が予め設定された領域間を移行するに伴い、気筒内に導入する空気量が大きく増減するような移行過渡時に、圧縮着火燃焼をコントロール可能にする。【解決手段】圧縮着火式エンジンの制御装置（エンジンシステム１）の制御部（ＥＣＭ１００）は、エンジン１０の運転状態が低負荷領域にあるときに、混合気の空燃比を理論空燃比よりもリーンの所定空燃比にしかつ、エンジンの運転状態が高負荷領域にあるときに、低負荷領域よりも気筒１１内に導入する空気量を少なくかつ、混合気の空燃比を所定空燃比よりもリッチにする。制御部は、高負荷領域内の運転状態と低負荷領域内の運転状態との間で、エンジンの運転状態が移行する過渡時に、混合気の空燃比を理論空燃比にすると共に、燃料の噴射タイミングを、移行先の運転状態で設定されているタイミングよりも遅角する噴射時期リタード制御を実行する。【選択図】図６
2015190419.tif 000002
【特許請求の範囲】
【請求項１】
気筒を有するよう構成されたエンジンと、
気筒内に、ガソリンを含有する燃料を噴射するよう構成されたインジェクタと、
前記気筒内に導入する空気量を調整するよう構成された空気量調整手段と、
前記空気量調整手段を通じて前記気筒内に導入する空気量を調整すると共に、前記インジェクタを通じて、前記エンジンの負荷に対応する量の燃料を、前記エンジンの運転状態に応じて設定されたタイミングで噴射し、それによって形成される気筒内の混合気を圧縮着火により燃焼させることで、前記エンジンを運転するよう構成された制御部と、を備え、
前記制御部は、前記エンジンの運転状態が所定負荷よりも低い低負荷領域にあるときに、前記混合気の空燃比を理論空燃比よりもリーンの所定空燃比にしかつ、前記エンジンの運転状態が前記所定負荷以上の高負荷領域にあるときに、前記低負荷領域よりも前記気筒内に導入する空気量を少なくかつ、前記混合気の空燃比を前記所定空燃比よりもリッチにし、
前記制御部は、前記高負荷領域内の運転状態と前記低負荷領域内の運転状態との間で、前記エンジンの運転状態が移行する過渡時に、前記混合気の空燃比を理論空燃比にすると共に、前記燃料の噴射タイミングを、移行先の運転状態で設定されているタイミングよりも遅角する噴射時期リタード制御を実行する圧縮着火式エンジンの制御装置。
【請求項２】
請求項１に記載の圧縮着火式エンジンの制御装置において、
前記空気量調整手段は、前記エンジンの排気ガスの一部を、ＥＧＲ通路を介して吸気に還流させる排気還流システムを含み、
前記制御部は、前記エンジンの運転状態が少なくとも前記高負荷領域内にあるときには、前記エンジンの運転状態に対応して設定されたＥＧＲ率となるように、前記排気還流システムを通じて、排気ガスの一部を吸気に還流する圧縮着火式エンジンの制御装置。
【請求項３】
請求項２に記載の圧縮着火式エンジンの制御装置において、
前記制御部は、前記高負荷領域内の、所定ＥＧＲ率となるように設定された高ＥＧＲ運転状態と、前記低負荷領域内の、前記所定ＥＧＲ率よりも低いＥＧＲ率となるように設定された低ＥＧＲ運転状態との間で、前記エンジンの運転状態が移行をする過渡時に、前記噴射時期リタード制御を実行する圧縮着火式エンジンの制御装置。
【請求項４】
請求項３に記載の圧縮着火式エンジンの制御装置において、
前記制御部は、前記低負荷領域内の前記低ＥＧＲ運転状態から、前記高負荷領域内の前記高ＥＧＲ運転状態へと前記エンジンの運転状態が移行をする加速時に、実際のＥＧＲ率が、前記高ＥＧＲ運転状態において設定された前記所定ＥＧＲ率に到達するまで、前記噴射時期リタード制御を実行する圧縮着火式エンジンの制御装置。
【請求項５】
請求項３に記載の圧縮着火式エンジンの制御装置において、
前記制御部は、前記高負荷領域内の前記高ＥＧＲ運転状態から、前記低負荷領域内の前記低ＥＧＲ運転状態へと前記エンジンの運転状態が移行をする減速時に、前記低負荷領域において設定される前記所定空燃比となる分の空気量が前記気筒内に導入されるまで、前記噴射時期リタード制御を実行する圧縮着火式エンジンの制御装置。
【請求項６】
請求項１〜５のいずれか１項に記載の圧縮着火式エンジンの制御装置において、
各気筒内でオゾンを生成するよう構成されたオゾン生成部をさらに備え、
前記制御部は、前記噴射時期リタード制御を実行している過渡時に、前記オゾン生成部を通じて前記気筒内でオゾンを生成する圧縮着火式エンジンの制御装置。
【発明の詳細な説明】
【技術分野】
【０００１】
ここに開示する技術は、圧縮着火式エンジンの制御装置に関する。
【背景技術】
【０００２】
特許文献１には、混合気の空燃比を理論空燃比よりも大幅にリーンにすることで、熱効率の向上を図るエンジンが記載されている。
【０００３】
特許文献２には、気筒内に供給したガソリンを圧縮着火により燃焼させるよう構成された圧縮着火式エンジンが記載されている。この圧縮着火エンジンは、エンジンの運転状態に応じて、圧縮着火燃焼と、火花点火燃焼とを切り換える。また、このエンジンでは、圧縮着火燃焼を行う領域の低負荷側では、気筒内にオゾンを噴射することで、圧縮着火燃焼の安定化を図っている。
【０００４】
特許文献３には、ディーゼルエンジンの加速時に、スモークが発生しない限度として、気筒内に導入される空気量に基づいて最大の燃料噴射量を設定し、実際に噴射する燃料量を、この最大の燃料噴射量で制限することが記載されている。
【先行技術文献】
【特許文献】
【０００５】
【特許文献１】特開２０１２−７２７４９号公報
【特許文献２】特開２００２−３０９９４１号公報
【特許文献３】特開平１１−３６９６２号公報
【発明の概要】
【発明が解決しようとする課題】
【０００６】
ところで、特許文献２に記載されている圧縮着火式エンジンは、エンジンの運転状態に応じて圧縮着火燃焼と火花点火燃焼とを切り換えるようにしているが、これとは異なり、熱効率の向上を目的として、エンジンの全運転領域において、圧縮着火燃焼を行うことが考えられる。また、圧縮着火燃焼は、混合気を理論空燃比よりもリーンにすることが可能である。そこで、特許文献１に記載されているエンジンにおいて、その全運転領域で圧縮着火燃焼を行うことも考えられる。そうすることで、混合気のリーン化と圧縮着火燃焼との組み合わせによって熱効率が向上すると共に、所定以上のリーンにすれば、ＲａｗＮＯｘの低減による排気エミッション性能も向上し得る。
【０００７】
ところが、エンジンの負荷の増大に伴い燃料噴射量が増えたときに、リーン空燃比を維持しようとすれば、大量の空気を気筒内に導入しなければならなくなる。そこで、低負荷領域では、混合気の空燃比を理論空燃比よりもリーンして圧縮着火燃焼をする一方で、燃料噴射量が所定以上に増えるような、所定負荷以上の高負荷領域では、空燃比を、例えば理論空燃比にして圧縮着火燃焼をすることが考えられる。こうすることで、低負荷領域では、前述したように熱効率の向上及び排気エミッション性能の向上が図られる。また、高負荷領域では、圧縮着火燃焼による熱効率が向上すると共に、三元触媒を利用して排気ガスを浄化することが可能になり、排気エミッション性能を良好に維持することが可能になる。
【０００８】
しかしながら、高負荷領域と低負荷領域との間で混合気の空燃比を切り換える構成では、エンジンの運転状態が、高負荷領域と低負荷領域との間で移行する過渡時、具体的には、低負荷領域から高負荷領域へと移行する加速時、又は、高負荷領域から低負荷領域へと移行する減速時に、気筒内に導入する空気量を大きく増減しなければならない。空気量の増減にかかる応答性は低いため、エンジンの運転状態が高負荷領域と低負荷領域との間で移行する過渡時には、気筒内に実際に導入される空気量と、目標とする空気量とのずれが生じる。その結果、混合気の空燃比が目標からずれてしまう。圧縮着火燃焼は、火花点火燃焼とは異なり、気筒内の状態をコントロールすることによって、圧縮着火のタイミングや、圧縮着火燃焼の燃焼時期をコントロールしなければならないが、空燃比のずれ等に起因して、圧縮着火燃焼のコントロールが困難になる。その結果、過渡時においては、例えば圧縮着火のタイミングが早まって、圧縮着火燃焼による気筒内の圧力上昇が急峻になり、燃焼騒音が増大する等の不都合を招く。また，空燃比のずれは、排気エミッション性能も低下し得る。
【０００９】
ここに開示する技術は、かかる点に鑑みてなされたものであり、その目的とするところは、圧縮着火式エンジンの運転状態が予め設定された領域間を移行するに伴い、気筒内に導入する空気量が大きく増減するような移行過渡時に、圧縮着火燃焼をコントロール可能にすることにある。
【課題を解決するための手段】
【００１０】
ここに開示する技術は、圧縮着火式エンジンの運転状態の移行に伴い、気筒内に導入する空気量が大きく増減するような過渡時に、気筒内に実際に導入される空気量に応じて燃料噴射量を調整することで、混合気の空燃比を理論空燃比にすると共に、燃料の噴射タイミングを、移行先の運転状態で設定されている噴射タイミングよりも遅角することで、圧縮着火のタイミング及び圧縮着火燃焼の燃焼時期をコントロールすることにした。
【００１１】
具体的に、ここに開示する技術は、圧縮着火式エンジンの制御装置に係り、この制御装置は、気筒を有するよう構成されたエンジンと、気筒内に、ガソリンを含有する燃料を噴射するよう構成されたインジェクタと、前記気筒内に導入する空気量を調整するよう構成された空気量調整手段と、前記空気量調整手段を通じて前記気筒内に導入する空気量を調整すると共に、前記インジェクタを通じて、前記エンジンの負荷に対応する量の燃料を、前記エンジンの運転状態に応じて設定されたタイミングで噴射し、それによって形成される気筒内の混合気を圧縮着火により燃焼させることで、前記エンジンを運転するよう構成された制御部と、を備える。
【００１２】
そして、前記制御部は、前記エンジンの運転状態が所定負荷よりも低い低負荷領域にあるときに、前記混合気の空燃比を理論空燃比よりもリーンの所定空燃比にしかつ、前記エンジンの運転状態が前記所定負荷以上の高負荷領域にあるときに、前記低負荷領域よりも前記気筒内に導入する空気量を少なくかつ、前記混合気の空燃比を前記所定空燃比よりもリッチにし、前記制御部は、前記高負荷領域内の運転状態と前記低負荷領域内の運転状態との間で、前記エンジンの運転状態が移行する過渡時に、前記混合気の空燃比を理論空燃比にすると共に、前記燃料の噴射タイミングを、移行先の運転状態で設定されているタイミングよりも遅角する噴射時期リタード制御を実行する。
【００１３】
この構成によると、エンジンの運転状態が所定負荷よりも低い低負荷領域にあるときには、混合気の空燃比が理論空燃比よりもリーンの所定空燃比になるように、所定量の燃料を、所定のタイミングで気筒内に噴射する。こうして気筒内に形成された混合気を圧縮着火により燃焼させる。
【００１４】
ここで、「所定空燃比」は、Ａ／Ｆ≧３０で適宜設定してもよい。こうすることで、燃焼温度の上昇が抑制され、ＲａｗＮＯｘの生成が抑制される。
【００１５】
また、低負荷領域にあるときの燃料の噴射タイミングは、圧縮行程終期から膨張行程初期の期間内に設定してもよい。「圧縮行程終期」は、圧縮行程を、初期、中期及び終期の三つの期間に三等分したときの終期としてもよい。また、「膨張行程初期」は、膨張行程を、初期、中期及び終期の三つの期間に三等分したときの初期としてもよい。低負荷領域にあるときには、燃料噴射量が相対的に少なく、異常燃焼（例えば過早着火）を回避し易い。そこで、前述した圧縮行程終期から膨張行程初期の期間内の、比較的早いタイミングで、燃料噴射を開始してもよい。こうすることで、異常燃焼を回避しながら、圧縮上死点付近において圧縮着火燃焼を行うことが可能になる。
【００１６】
エンジンの運転状態が低負荷領域にあるときには、混合気のリーン化と圧縮着火燃焼との組み合わせにより、熱効率が高くなる。
【００１７】
一方、エンジンの運転状態が所定負荷以上の高負荷領域にあるときには、混合気の空燃比が所定空燃比よりもリッチになるように、所定量の燃料を、所定のタイミングで気筒内に噴射する。こうして気筒内に形成された混合気を圧縮着火により燃焼させる。
【００１８】
高負荷領域では、エンジンの負荷が高い分、燃料噴射量が増えるため、混合気をリーンにするには大量の空気を気筒内に導入しなければならないが、混合気の空燃比を所定空燃比よりもリッチにすることで、気筒内に導入する空気量を少なくすることが可能になる。高負荷領域では、混合気の空燃比を、例えば理論空燃比にしてもよい。こうすることで三元触媒を利用して排気ガスを浄化することが可能になり、排気エミッション性能を良好に維持することが可能になる。
【００１９】
高負荷領域では、燃料の噴射タイミングを、圧縮行程終期から膨張行程初期の期間内に設定してもよい。エンジンの運転状態が高負荷領域にあるときには特に、燃料噴射量が相対的に多く、異常燃焼の懸念が高まることから、前述した圧縮行程終期から膨張行程初期の期間内の、比較的遅いタイミングで、燃料噴射を開始してもよい。こうすることで、異常燃焼を回避することが可能になる。
【００２０】
高負荷領域内の運転状態と、低負荷領域内の運転状態との間で、エンジンの運転状態が移行するときには、混合気の空燃比を、所定のリーン状態と、それよりもリッチの状態との間で切り換える必要がある。つまり、気筒内に導入される空気量が大きく増減する。インジェクタを通じた燃料噴射量の変更は、応答性よく行うことが可能な一方で、気筒内に導入する空気量の増減は、応答性が悪い。
【００２１】
低負荷領域の運転状態から高負荷領域の運転状態への移行過渡時（つまり、車両の加速時）には、燃料噴射量が増える一方で、気筒内に導入する空気量を、相対的に多い状態から減らして、少ない状態にしなければならない。加速時には、低い応答性に起因して、気筒内に導入する空気量が目標よりも多くなる結果、混合気の空燃比が目標からずれて、圧縮着火燃焼のコントロールが難しくなる。
【００２２】
逆に、高負荷領域の運転状態から低負荷領域の運転状態への移行過渡時（つまり、車両の減速時）には、燃料噴射量が減る一方で、気筒内に導入する空気量を、相対的に少ない状態から増やして、多い状態にしなければならない。減速時には、低い応答性に起因して、気筒内に導入する空気量が目標よりも少なくなる結果、混合気の空燃比が目標からずれて、圧縮着火燃焼のコントロールが難しくなる。
【００２３】
そこで、前記の構成では、エンジンの運転状態が移行する過渡時には、気筒内に実際に導入される空気量に応じて燃料噴射量を調整することにより、混合気の空燃比を理論空燃比にする。こうすることで、移行過渡時には、三元触媒を利用して排気ガスを浄化することが可能になり、排気エミッション性能を良好に維持することが可能になる。
【００２４】
高負荷領域における混合気の空燃比が理論空燃比に設定されている場合、負荷に応じて設定される燃料噴射量に対し、理論空燃比とするための目標の空気量が設定されるが、加速時には、前述したように、気筒内に導入する空気量が、その目標の空気量よりも多くなるため、理論空燃比とするために、燃料噴射量を、目標の噴射量（ここでの目標の噴射量は、目標空気量に対して理論空燃比にするための目標噴射量である）よりも増量しなければならない。
【００２５】
また、減速時には、前述したように、気筒内に導入する空気量が、理論空燃比よりもリーンな所定空燃比とするための目標空気量よりも少なくなるが、混合気を理論空燃比にするために、燃料噴射量を目標の噴射量（ここでの目標の噴射量は、所定のリーン空燃比にするための目標噴射量である）よりも増量しなければならない。
【００２６】
従って、移行過渡時に噴射をする燃料量は、加速時及び減速時のいずれにおいても、移行先の運転状態において設定されている燃料噴射量よりも多くなり得る。そのため、移行過渡時には、例えば圧縮着火のタイミングが早まって、圧縮着火燃焼による気筒内の圧力上昇が急峻になる結果、燃焼騒音が増大してしまう虞がある。
【００２７】
そこで、前記の構成では、燃料噴射量が目標よりも増量し得る移行過渡時には、燃料の噴射タイミングを、移行先の運転状態において設定されている噴射タイミングよりも遅角する（つまり、噴射時期リタード制御）。噴射の開始が圧縮上死点付近から膨張行程初期の期間内となるように、噴射タイミングを遅角してもよい。こうすることで、圧縮着火のタイミングを圧縮上死点から離れた時期まで遅らせて、圧縮着火燃焼の燃焼時期を膨張行程期間中にすることが可能になる。圧縮着火のタイミング及び圧縮着火燃焼の燃焼期間の時期をコントロールすることが可能になり、圧縮着火燃焼による気筒内の圧力上昇が急峻になることが回避され、燃焼騒音の増大が抑制される。
【００２８】
前記空気量調整手段は、前記エンジンの排気ガスの一部を、ＥＧＲ通路を介して吸気に還流させる排気還流システムを含み、前記制御部は、前記エンジンの運転状態が少なくとも前記高負荷領域内にあるときには、前記エンジンの運転状態に対応して設定されたＥＧＲ率となるように、前記排気還流システムを通じて、排気ガスの一部を吸気に還流する、としてもよい。
【００２９】
燃料噴射量が増える高負荷領域において、気筒内に排気ガスの一部を導入することにより、圧縮着火のタイミングをコントロールすることが可能になり、異常燃焼が回避されると共に、圧縮着火のタイミングが早まって圧縮着火燃焼に伴う気筒内の圧力上昇が急峻になることが回避される。これは、燃焼騒音の抑制に有利になる。また、燃焼温度の低減が図られ、ＲａｗＮＯｘを抑制して、排気エミッション性能の向上が図られる。
【００３０】
また、気筒内に導入する排気ガス量を調整することにより（つまり、ＥＧＲ率を調整することにより）、気筒内に導入する空気量を調整することが可能になる。前述したように、エンジンの運転状態が高負荷領域にあるときに、混合気の空燃比を理論空燃比に設定する場合は、エンジン負荷の増減に対応してＥＧＲ率を調整することにより、気筒内に導入する空気量を、燃料噴射量に対応した量に調整することが可能になるから、ポンピングロスが低減する。
【００３１】
尚、混合気の空燃比を理論空燃比よりもリーンの所定空燃比に設定する低負荷領域において、排気還流システムを通じて、適宜の量の排気ガスを、気筒内に導入してもよい。排気ガスの還流によって、低負荷領域においても、圧縮着火のタイミングをコントロールして、異常燃焼の回避及び燃焼騒音の増大回避が可能になると共に、燃焼温度を低減して、ＲａｗＮＯｘの生成抑制による排気エミッション性能の向上が可能になる。
【００３２】
前記制御部は、前記高負荷領域内の、所定ＥＧＲ率となるように設定された高ＥＧＲ運転状態と、前記低負荷領域内の、前記所定ＥＧＲ率よりも低いＥＧＲ率となるように設定された低ＥＧＲ運転状態との間で、前記エンジンの運転状態が移行をする過渡時に、前記噴射時期リタード制御を実行する、としてもよい。
【００３３】
ＥＧＲ通路を介して排気ガスを吸気に還流させる排気還流システムの構成において、気筒内に導入する排気ガス量の調整にかかる応答性、つまり、ＥＧＲ率の変更の応答性は低い。従って、高負荷領域内の高ＥＧＲ運転状態と、低負荷領域内の低ＥＧＲ運転状態との間で、エンジンの運転状態が移行をする過渡時には、ＥＧＲ率を変更させる必要があるものの、実際のＥＧＲ率は、目標のＥＧＲ率からずれる。前述したように気筒内に導入する空気量が目標からずれることと、ＥＧＲ率が目標からずれることとが組み合わさって、高ＥＧＲ運転状態と低ＥＧＲ運転状態との間で、エンジンの運転状態が移行をする過渡時には、圧縮着火燃焼のコントロールがさらに困難になる。
【００３４】
この場合でも、前述したように、混合気の空燃比を理論空燃比にすると共に、燃料の噴射タイミングを、移行先の運転状態において設定されている噴射タイミングに対して遅角することで、移行過渡時において圧縮着火燃焼をコントロールすることが可能になり、排気エミッション性能を良好に維持しながら、異常燃焼の回避、及び、燃焼騒音の増大抑制が可能になる。
【００３５】
前記制御部は、前記低負荷領域内の前記低ＥＧＲ運転状態から、前記高負荷領域内の前記高ＥＧＲ運転状態へと前記エンジンの運転状態が移行をする加速時に、実際のＥＧＲ率が、前記高ＥＧＲ運転状態において設定された前記所定ＥＧＲ率に到達するまで、前記噴射時期リタード制御を実行する、としてもよい。
【００３６】
前述したように、ＥＧＲ率の変更にかかる応答性が低いため、エンジンの運転状態が、低ＥＧＲ運転状態から高ＥＧＲ運転状態へと移行する加速時には、ＥＧＲ率の上昇が遅れる。その結果、実際のＥＧＲ率が、目標のＥＧＲ率よりも低くなり得る。これは、気筒内に導入する空気量が、高負荷領域において設定される目標の空気量よりも多くなることを招くため、その気筒内に導入される実際の空気量に応じて、燃料噴射量を調整して混合気の空燃比を理論空燃比にする。前述したように、高負荷領域において混合気の空燃比が理論空燃比に設定される場合は、過渡時において燃料噴射量は、目標よりも増量する。また、燃料の噴射タイミングを、高ＥＧＲ運転状態において設定されている噴射タイミングよりも遅角させる。この噴射時期リタード制御の実行により、圧縮着火燃焼をコントロールすることが可能になり、加速時において、排気エミッション性能を良好に維持しつつ、異常燃焼の回避、及び、燃焼騒音の増大回避が可能になる。噴射時期リタード制御は、実際のＥＧＲ率が目標のＥＧＲ率に到達した時点で終了する。つまり、エンジンの運転状態の移行が完了したことになる。
【００３７】
前記制御部は、前記高負荷領域内の前記高ＥＧＲ運転状態から、前記低負荷領域内の前記低ＥＧＲ運転状態へと前記エンジンの運転状態が移行をする減速時に、前記低負荷領域において設定される前記所定空燃比となる分の空気量が前記気筒内に導入されるまで、前記噴射時期リタード制御を実行する、としてもよい。
【００３８】
エンジンの運転状態が、高ＥＧＲ運転状態から低ＥＧＲ運転状態へと移行する減速時には、ＥＧＲ率の低下が遅れる結果、実際のＥＧＲ率が、目標のＥＧＲ率よりも高くなり得る。これは、気筒内に導入する空気量が、低負荷領域において設定される目標の空気量よりも少なくなることを招く。そのため、その気筒内に導入される実際の空気量に応じて、燃料噴射量を調整して混合気の空燃比を理論空燃比にする。前述したように、理論空燃比よりもリーンな所定空燃比とすべきところ、理論空燃比となることで、過渡時に燃料噴射量は、目標よりも増量する。また、燃料の噴射タイミングを、低ＥＧＲ運転状態において設定されている噴射タイミングよりも遅角させる。この噴射時期リタード制御の実行により、圧縮着火燃焼をコントロールすることが可能になり、減速時において、排気エミッション性能を良好に維持しつつ、異常燃焼の回避、及び、燃焼騒音の増大回避が可能になる。噴射時期リタード制御は、所定空燃比となる分の空気量が気筒内に導入されるようになった時点で終了する。つまり、エンジンの運転状態の移行が完了する。
【００３９】
前記圧縮着火式エンジンの制御装置は、各気筒内でオゾンを生成するよう構成されたオゾン生成部をさらに備え、前記制御部は、前記噴射時期リタード制御を実行している過渡時に、前記オゾン生成部を通じて前記気筒内でオゾンを生成する、としてもよい。ここで、オゾンの生成は、圧縮着火前、及び／又は、圧縮着火燃焼の最中に行えばよい。
【００４０】
噴射時期リタード制御の実行中は、前述したように、燃料の噴射タイミングを遅角することによって、圧縮着火のタイミング、及び、圧縮着火燃焼の燃焼時期をそれぞれ遅らせる。圧縮着火のタイミングは圧縮上死点から離れた時期となり、圧縮着火燃焼の燃焼時期は、その後の膨張行程期間中になる場合があり、この場合、圧縮着火燃焼の安定性が低下し易い。気筒内でオゾンを生成することは、圧縮着火、及び／又は、圧縮着火燃焼を促進する。その結果、燃料の噴射タイミングを遅角させる移行過渡時において、圧縮着火燃焼の安定性が向上する。
【発明の効果】
【００４１】
以上説明したように、前記の圧縮着火式エンジンの制御装置によると、圧縮着火式エンジンの運転状態の移行に伴い、気筒内に導入する空気量が大きく増減するような過渡時に、気筒内に導入する空気量に応じて混合気の空燃比を理論空燃比にすると共に、燃料の噴射タイミングを遅らせることで、圧縮着火燃焼をコントロールすることができる。
【図面の簡単な説明】
【００４２】
【図１】エンジンの構成を示す概略図である。
【図２】エンジンの制御に係る構成を示すブロック図である。
【図３】インジェクタの内部構造を示す断面図である。
【図４】高電圧制御器が出力する短パルス高電圧を例示した概略図である。
【図５】エンジンの運転制御に係るマップを例示する概略図である。
【図６】エンジンの負荷の高低に対する筒内ガス量の変化（上図）及び燃料噴射量の変化（下図）を例示する図である。
【図７】気筒内でのオゾンの生成状態を例示する概略図である。
【図８】加速時における（ａ）アクセル開度の変化、（ｂ）ＥＧＲ率の変化、（ｃ）Ａ／Ｆの変化、（ｄ）吸入空気量の変化、（ｅ）燃料噴射量の変化、（ｆ）噴射開始時期の変化、（ｇ）噴射リタード量の変化を示すタイムチャートである。
【図９】減速時における（ａ）アクセル開度の変化、（ｂ）ＥＧＲ率の変化、（ｃ）Ａ／Ｆの変化、（ｄ）吸入空気量の変化、（ｅ）燃料噴射量の変化、（ｆ）噴射開始時期の変化、（ｇ）噴射リタード量の変化を示すタイムチャートである。
【発明を実施するための形態】
【００４３】
以下、実施形態を図面に基づいて説明する。以下の説明は例示である。
【００４４】
（エンジンシステムの全体構成）
図１、２は、実施形態に係るエンジンシステム１の構成を示している。このエンジンシステム１は、車両に搭載されるシステムである。エンジンシステム１は、エンジン１０、エンジン１０に付随する様々なアクチュエータ、様々なセンサ、及び、該センサからの信号に基づきアクチュエータを制御するＥＣＭ（Engine Control Module、制御部）１００を含む。
【００４５】
エンジン１０のクランクシャフト１５は、図示しないが、変速機を介して駆動輪に連結されている。エンジン１０の出力が駆動輪に伝達されることによって、車両が推進する。エンジン１０は、シリンダブロック１２と、その上に載置されるシリンダヘッド１３とを備えており、シリンダブロック１２の内部に複数の気筒１１が形成されている（図１では、１つのみ示す）。エンジン１０は、多気筒エンジンである。シリンダブロック１２及びシリンダヘッド１３の内部には、図示は省略するが冷却水が流れるウォータージャケットが形成されている。各気筒１１内には、コネクティングロッド１４を介してクランクシャフト１５に連結されたピストン１６が摺動自在に嵌挿されている。ピストン１６は、気筒１１及びシリンダヘッド１３と共に燃焼室１７を区画している。シリンダブロック１２、シリンダヘッド１３及びピストン１６等は、アルミニウム合金等の、電気伝導性を有する金属で形成されていて、接地（アース）処理が施されている。
【００４６】
本実施形態では、燃焼室１７の天井面１７ａ（シリンダヘッド１３の下面）は、上方に膨出した球面形状に形成されている（つまり、ドーム型）。その形状に対応して、ピストン１６の頂面１６ａもドーム型に形成されている。ピストン１６の頂面１６ａの中央部には、凹状のキャビティ１６ｂが形成されている。尚、前記天井面１７ａ及びピストン１６の頂面１６ａの形状は、後述の高い幾何学的圧縮比が可能であれば、どのような形状であってもよく、例えば、天井面１７ａ及びピストン１６の頂面１６ａ（キャビティ１６ｂを除く部分）の両方が、気筒１１の中心軸に対して垂直な面で構成されていてもよいし、天井面１７ａが三角屋根状（いわゆるペントルーフ形状）をなす一方、ピストン１６の頂面１６ａが、その天井面１７ａに対応した凸形状をなして構成されていてもよい。
【００４７】
図１には１つのみ示すが、気筒１１毎に２つの吸気ポート１８がシリンダヘッド１３に形成され、それぞれがシリンダヘッド１３の下面に開口することで燃焼室１７に連通している。同様に、気筒１１毎に２つの排気ポート１９がシリンダヘッド１３に形成され、それぞれがシリンダヘッド１３の下面に開口することで燃焼室１７に連通している。
【００４８】
シリンダヘッド１３には、吸気弁２１及び排気弁２２が、それぞれ吸気ポート１８及び排気ポート１９を燃焼室１７から遮断（閉）することができるように配設されている。吸気弁２１は吸気弁駆動機構により、排気弁２２は排気弁駆動機構により、それぞれ駆動される。吸気弁２１及び排気弁２２は所定のタイミングで往復動して、それぞれ吸気ポート１８及び排気ポート１９を開閉し、気筒１１内のガス交換を行う。吸気弁駆動機構及び排気弁駆動機構は、図示は省略するが、それぞれ、クランクシャフト１５に駆動連結された吸気カムシャフト及び排気カムシャフトを有し、これらのカムシャフトはクランクシャフト１５の回転と同期して回転する。吸気弁駆動機構及び排気弁駆動機構は、この例では、吸気カムシャフトの位相を所定の角度範囲内で連続的に変更可能な、液圧式又は電動式の位相可変機構（Variable Valve Timing：ＶＶＴ）２３、２４を、少なくとも含んで構成されている。尚、吸気弁駆動機構及び／又は排気弁駆動機構は、ＶＶＴ２３、２４と共に、弁リフト量を変更可能なリフト可変機構を備えるようにしてもよい。リフト可変機構は、リフト量を連続的に変更可能なＣＶＶＬ（Continuous Variable Valve Lift）としてもよい。
【００４９】
各気筒１１の吸気ポート１８は、図１において明示されない吸気マニホールドを介して吸気通路３０に連通している。また、各気筒１１の排気ポート１９は、同様に明示されない排気マニホールドを介して排気通路４０に連通している。
【００５０】
吸気通路３０には、各気筒１１への吸入空気量を調節するスロットル弁３１が配設されている。このエンジンシステム１においては、後述するように、エンジン１０の通常の運転状態では、スロットル弁３１をほぼ全開で一定にする。
【００５１】
吸気通路３０におけるスロットル弁３１の下流側部分と、排気通路４０とは、排気ガスの一部を吸気通路３０に還流するためのＥＧＲ通路５１によって接続されている。ＥＧＲ通路５１には、排気ガスの吸気通路３０への還流量を調整するためのＥＧＲ弁５２及び排気ガスを冷却するための、水冷式のＥＧＲクーラ５３が配設されている。ＥＧＲ通路５１、ＥＧＲ弁５２及びＥＧＲクーラ５３を含んで、ＥＧＲシステム５０が構成される。尚、ＥＧＲクーラ５３をバイパスするＥＧＲバイパス通路をさらに設け、ＥＧＲクーラ５３を通過する排気ガス流量と、ＥＧＲクーラ５３をバイパスする排気ガス流量とを調整することによって、吸気に還流する排気ガスの流量と共に、排気ガスの温度を調整するように構成してもよい。
【００５２】
排気通路４０における下流側には、排気ガス中の有害成分を浄化する触媒コンバータ９２が配設されている。触媒コンバータ９２は、例えば三元触媒を内蔵しており、混合気の空燃比が理論空燃比又は略理論空燃比であるときに、排気通路を通過する排気ガス中に含まれる有害成分（ＨＣ、ＣＯ、ＮＯｘ）を浄化する機能を有する。
【００５３】
エンジン１０において、シリンダヘッド１３における気筒１１の中心軸上には、気筒１１内（燃焼室１７内）に燃料を直接噴射するインジェクタ６が配設されている。このインジェクタ６は、例えばブラケットを使用する等の周知の構造でシリンダヘッド１３に取付固定されている。インジェクタ６の先端は、燃焼室１７の天井面１７ａの中心に臨んでいる。
【００５４】
図３に示すように、インジェクタ６は、気筒１１内に燃料を噴射するノズル口６１を開閉する外開弁６２を有する、外開弁式のインジェクタである。ノズル口６１は、気筒１１の中心軸に沿って延びる燃料管６３の先端部において、先端側ほど径が大きくなるテーパ状に形成されている。燃料管６３の基端側の端部は、内部にピエゾ素子６４が配設されたケース６５に接続されている。外開弁６２は、弁本体６２ａと、弁本体６２ａから燃料管６３内を通ってピエゾ素子６４に接続された連結部６２ｂとを有している。弁本体６２ａの連結部６２ｂ側の部分が、ノズル口６１と略同じ形状を有しており、該部分がノズル口６１に当接（着座）しているときには、ノズル口６１が閉状態となる。このとき、弁本体６２ａの先端側の部分は、燃料管６３の外側に突出した状態となっている。
【００５５】
ピエゾ素子６４は、電圧の印加による変形により、外開弁６２を気筒１１の中心軸方向の燃焼室１７側に押圧することで、その外開弁６２を、ノズル口６１を閉じた状態からリフトさせてノズル口６１を開放する。このとき、ノズル口６１から気筒１１内に燃料が、気筒１１の中心軸を中心とするコーン状（詳しくはホローコーン状）に噴射される。そのコーンのテーパ角は、本実施形態では、９０°〜１００°である（内側の中空部のテーパ角は７０°程度である）。そして、ピエゾ素子６４への電圧の印加が停止すると、ピエゾ素子６４が元の状態に復帰することで、外開弁６２がノズル口６１を再び閉状態とする。このとき、ケース６５内における連結部６２ｂの周囲に配設された圧縮コイルバネ６６がピエゾ素子６４の復帰を助長する。
【００５６】
ピエゾ素子６４に印加する電圧が大きいほど、外開弁６２の、ノズル口６１を閉じた状態からのリフト量（以下、単にリフト量という）が大きくなる。このリフト量が大きいほど、ノズル口６１の開度が大きくなってノズル口６１から気筒１１内に噴射される燃料噴霧のペネトレーションが大きくなる（長くなる）とともに、単位時間当たりに噴射される燃料量が多くなりかつ燃料噴霧の粒径が大きくなる。尚、外開弁６２を駆動する手段としては、ピエゾ素子６４には限られない。また、インジェクタ６も外開弁式に限らず、例えば多噴口型のインジェクタを採用してもよい。
【００５７】
燃料供給システム６７（図２参照）は、外開弁６２（ピエゾ素子６４）を駆動するための電気回路と、インジェクタ６に燃料を供給する燃料供給系とを備えている。ＥＣＭ１００は、所定のタイミングで、リフト量に応じた電圧を有する噴射信号を電気回路に出力することで、該電気回路を介してピエゾ素子６４及び外開弁６２を作動させて、所望量の燃料を、気筒１１内に噴射させる。噴射信号の非出力時（噴射信号の電圧が０であるとき）には、外開弁６２によりノズル口６１が閉じられた状態となる。このようにピエゾ素子６４は、ＥＣＭ１００からの噴射信号によって、その作動が制御される。こうしてＥＣＭ１００は、ピエゾ素子６４の作動を制御して、インジェクタ６のノズル口６１からの燃料噴射及び該燃料噴射時におけるリフト量を制御する。
【００５８】
燃料供給系には、図示省略の高圧燃料ポンプやコモンレールが設けられている。高圧燃料ポンプはエンジン１０により駆動されかつ、低圧燃料ポンプを介して燃料タンクより供給されてきた燃料をコモンレールに圧送し、コモンレールは、その圧送された燃料を、所定の燃料圧力で蓄える。そして、インジェクタ６が作動する（外開弁６２がリフトされる）ことによって、コモンレールに蓄えられている燃料がノズル口６１から噴射される。
【００５９】
ここで、エンジン１０の燃料は、本実施形態ではガソリンであるが、バイオエタノール等を含むガソリンであってもよく、少なくともガソリンを含む燃料（液体燃料）であれば、どのような燃料であってもよい。
【００６０】
また、このエンジン１０の燃焼室１７内には、オゾン生成部７の放電プラグ７１が配設されている。この放電プラグ７１は、例えばねじ等の周知の構造によって、シリンダヘッド１３に固定されている。放電プラグ７１の先端部は燃焼室１７の天井面１７ａから突出して燃焼室１７内に臨んでいる。この放電プラグ７１の先端部は、図１では、図示の関係上、ずらして描いているが、実際は、吸気ポート１８と排気ポート１９の間でかつ、インジェクタ６のノズル口６１の近傍に位置している（図７も参照。尚、図１と図７とは断面が相違する）。放電プラグ７１は、碍子７１ａで周囲が電気的に絶縁された棒状の電極７１ｂを有している。電極７１ｂは、シリンダヘッド１３やシリンダブロック１２から電気的に絶縁された状態で、燃焼室１７内に突出している。
【００６１】
オゾン生成部７はまた、図２に示すように、高電圧制御器７２を有している。高電圧制御器７２は、放電プラグ７１と電気的に接続されており、燃焼室１７で、後述するような極短パルス放電が生じるように、制御されたパルス状の高電圧を電極７１ｂに印加する機能を有している。具体的には、図４に示すように、５０ナノ秒以下のパルス幅ＰＷで１０ｋＶ以上の高電圧からなる電圧（短パルス高電圧）を、所定期間、断続的に電極７１ｂに印加する機能を有している。尚、オゾン生成部７の配置及び構成は、これに限定されるものではない。
【００６２】
ＥＣＭ１００は、周知のマイクロコンピュータをベースとするコントローラであって、プログラムを実行する中央演算処理装置（ＣＰＵ）と、例えばＲＡＭやＲＯＭにより構成されてプログラム及びデータを格納するメモリと、電気信号の入出力をする入出力（Ｉ／Ｏ）バスと、を備えている。
【００６３】
ＥＣＭ１００には、車速を検出する車速センサ８１、アクセル開度を検出するアクセル開度センサ８２、ブレーキペダルのオン／オフを検出するブレーキセンサ８３、吸気通路３０を流れる新気の流量及び温度を検出するエアフローセンサ８４、クランクシャフト１５の回転角度及び回転速度を検出するためのクランク角パルス信号を出力するクランク角センサ８５、気筒識別情報を得るためのカムシャフトパルス信号を出力するカム角センサ８６、エンジン１０の冷却水温を出力する水温センサ８７、及び、油温を出力する油温センサ８８が、少なくとも接続されている。
【００６４】
ＥＣＭ１００は、前述した各センサ等からの信号に基づいて、エンジン１０の運転状態を判断し、それに対応するエンジン１０の制御パラメータを設定する。そして、ＥＣＭ１００は、各制御パラメータに対応する信号を、スロットル弁３１、燃料供給システム６７、吸気ＶＶＴ２３、排気ＶＶＴ２４、高電圧制御器７２、ＥＧＲ弁５２等に出力する。
【００６５】
（エンジン本体の構成）
次に、エンジン本体の構成についてさらに詳細に説明をする。このエンジン１０の幾何学的圧縮比εは、２０以上４０以下とされている。幾何学的圧縮比εは、特に２５以上３５以下が好ましい。エンジン１０は圧縮比＝膨張比となる構成から、高圧縮比と同時に、比較的高い膨張比を有するエンジン１０でもある。このエンジン１０は、詳細は後述するが、全運転領域で気筒１１内に噴射した燃料を圧縮着火により燃焼させるよう構成されており、高い幾何学的圧縮比は、圧縮着火燃焼を安定化する。
【００６６】
燃焼室１７は、気筒１１の壁面と、ピストン１６の頂面と、シリンダヘッド１３の下面（天井面１７ａ）と、吸気弁２１及び排気弁２２それぞれのバルブヘッドの面と、によって区画形成されている。そして、冷却損失を低減するべく、これらの各面に、断熱層が設けられることによって、燃焼室１７が断熱化されている。断熱層は、これらの区画面の全てに設けてもよいし、これらの区画面の一部に設けてもよい。また、燃焼室１７を直接区画する壁面ではないが、吸気ポート１８や排気ポート１９における、燃焼室１７の天井面１７ａ側の開口近傍のポート壁面に断熱層を設けてもよい。
【００６７】
これらの断熱層は、燃焼室１７内の燃焼ガスの熱が、区画面を通じて放出されることを抑制するため、燃焼室１７を構成する金属製の母材よりも熱伝導率が低く設定される。
【００６８】
また、断熱層は、冷却損失を低減する上で、母材よりも容積比熱が小さいことが好ましい。つまり、断熱層の熱容量を小さくして、燃焼室１７の区画面の温度が、燃焼室１７内のガス温度の変動に追従して変化するようにすることが好ましい。
【００６９】
前記断熱層は、例えば、母材上にＺｒＯ２等のセラミック材料をプラズマ溶射によってコーティングして形成すればよい。このセラミック材料の中には、多数の気孔を含んでいてもよい。このようにすれば、断熱層の熱伝導率及び容積比熱をより低くすることができる。
【００７０】
本実施形態では、前記の燃焼室の断熱構造に加えて、気筒１１内（つまり、燃焼室１７内）においてガス層による断熱層を形成することで、冷却損失を大幅に低減するようにしている。
【００７１】
具体的には、ＥＣＭ１００は、エンジン１０の気筒１１内の外周部に新気を含むガス層が形成されかつ中心部に混合気層が形成されるように、圧縮行程以降においてインジェクタ６のノズル口６１から気筒１１内に燃料を噴射させるべく、燃料供給システム６７の電気回路に噴射信号を出力する。すなわち、圧縮行程以降においてインジェクタ６により気筒１１内に燃料を噴射させかつその燃料噴霧のペネトレーションを、燃料噴霧が気筒１１内の外周部まで届かないような大きさ（長さ）に抑えることで、気筒１１内の中心部に混合気層が形成されかつ、その周囲に新気を含むガス層が形成されるという、成層化が実現する。このガス層は、新気のみであってもよく、新気に加えて、既燃ガス（ＥＧＲガス）を含んでいてもよい。尚、ガス層に少量の燃料が混じっても問題はなく、ガス層が断熱層の役割を果たせるように混合気層よりも燃料リーンであればよい。
【００７２】
前記のようにガス層と混合気層とが形成された状態で燃料が圧縮着火燃焼すれば、混合気層と気筒１１の壁面との間のガス層により、混合気層の火炎が気筒１１の壁面に接触することがなく、そのガス層が断熱層となって、気筒１１の壁面からの熱の放出を抑えることができるようになる。この結果、冷却損失を大幅に低減することができる。
【００７３】
尚、冷却損失を低減させるだけでは、その冷却損失の低減分が排気損失に転換されて図示熱効率の向上にはあまり寄与しないところ、このエンジン１０では、高圧縮比化に伴う高膨張比化によって、冷却損失の低減分に相当する燃焼ガスのエネルギを、機械仕事に効率よく変換している。すなわち、エンジン１０は、冷却損失及び排気損失を共に低減させる構成を採用することによって、図示熱効率を大幅に向上させているということができる。
【００７４】
（エンジンの燃料噴射制御）
エンジン１０は、全運転領域において、インジェクタ６により気筒内に噴射された燃料を圧縮着火燃焼させる。エンジン１０の運転領域は、負荷の高低に対して、図５に実線で示す所定負荷よりも負荷の低い低負荷領域Ａと、所定負荷以上の高負荷領域Ｂとに区分される。
【００７５】
低負荷領域Ａでは、気筒内全体の空気過剰率λが２以上（空燃比が３０以上）に設定される。これにより、熱効率を向上させながら、ＲａｗＮＯｘを低減することができる。ＲａｗＮＯｘを低減する観点からは、空気過剰率λ≧２．５がより一層好ましい。また、空気過剰率λ＝８で図示熱効率がピークになることから、空気過剰率λの範囲としては、２≦λ≦８が好ましい（より好ましくは、２．５≦λ≦８）。低負荷領域Ａは、空気過剰率λを、１を超えて設定するため、リーン領域と呼ぶことが可能である（つまり、混合気の空燃比は理論空燃比よりもリーンである）。
【００７６】
図６は、エンジンの負荷の高低に対する筒内ガス量の変化（上図）及び燃料噴射量の変化（下図）を示している。図６の一点鎖線よりも左側の部分が、低負荷領域Ａに対応する。低負荷領域Ａ（及び後述する高負荷領域Ｂ）において、スロットル弁３１は、ほぼ全開で一定される。ガス交換損失（ポンピングロス）の低減による図示熱効率の向上が図られる。低負荷領域Ａ内では、負荷が低いときに、ＥＧＲクーラ５３によって冷却した排気ガスの還流を行う。排気ガスを還流させる分だけ、気筒１１内に導入する新気量（空気量）を少なくする。新気量の低減と、気筒１１内に導入する排気ガス温度を下げることとによって、圧縮行程中の気筒１１内の温度を調整して、圧縮着火のタイミングのコントロールと共に、燃焼温度が高くなりすぎることを抑制する。その結果、燃焼騒音が増大してしまうことが防止されると共に、ＲａｗＮＯｘの生成が抑制される。
【００７７】
低負荷領域Ａ内で負荷が高まるに従い、図６の下図に示すように、燃料噴射量が増えるが、排気ガスの還流量も、負荷が高まるに従い減らす（つまり、ＥＧＲ率を低くする）。そうして、低負荷領域Ａ内において、負荷が高いときには、排気ガスの還流を中止する。これにより、低負荷領域Ａ内において、負荷が高いときに、混合気の空燃比を所定以上のリーンに維持しながら、できるだけ大量の空気を気筒１１内に導入することができ、トルク生成に有利になる。
【００７８】
低負荷領域Ａでは、前述したガス断熱層を形成しかつ、圧縮上死点付近で燃料が圧縮着火して燃焼するように、例えばインジェクタ６による燃料噴射の開始タイミングが、圧縮行程の終期に設定される。圧縮行程の終期は、圧縮行程を初期、中期及び終期の三つに三等分したときの終期に相当する。低負荷領域Ａでは、インジェクタ６による燃料噴射を、一括で行ってもよいし、分割して行ってもよい。
【００７９】
低負荷領域Ａでは、混合気の空燃比を理論空燃比よりもリーン（前述のように、Ａ／Ｆ≧３０）に設定するが、エンジン１０の負荷が高まって燃料の噴射量が増えたときには、Ａ／Ｆを３０以上にするだけの空気を、気筒１１内に導入することが困難になり得る。そこで、このエンジン１０では、エンジン１０の負荷が相対的に高くかつ、燃料噴射量が相対的に増える高負荷領域Ｂでは、混合気の空燃比を理論空燃比にする（つまり、空気過剰率λを１にする）。高負荷領域Ｂにおいては、三元触媒を利用して排気エミッション性能を良好に維持することが可能になる。このエンジンシステム１では、ＮＯｘ浄化触媒を省略することが可能である。高負荷領域Ｂは、空気過剰率λを１にすることから、λ＝１領域と呼ぶことができる。
【００８０】
高負荷領域Ｂは、図６において一点鎖線を含む右側の部分に対応する。図６の上図に示すように、エンジン１０の負荷が高くなるに従い増量する燃料噴射量に対応するよう、新気量（空気量）が増量し、それによって、混合気の空燃比は、理論空燃比を維持する。気筒１１内に導入される空気量は、スロットル弁３１を略全開にしたまま、ＥＧＲシステム５０を通じて還流させる排気ガス量を調整することによって、調整する。高負荷領域Ｂでは、エンジン１０の負荷が低いときにＥＧＲ率が相対的に高くかつ、エンジン１０の負荷が高いときにＥＧＲ率が相対的に低くなり、全開負荷のときにはＥＧＲ率がゼロになる。ＥＧＲ率は、エンジン１０の負荷が高くなるに従い、次第に低く設定される。こうすることで、ポンピングロスを低減すると共に、冷却した排気ガスを気筒１１内に導入することで、圧縮着火のタイミングをコントロールして異常燃焼を回避すると共に、燃焼を緩慢にして、燃焼騒音の増大を抑制する。また、燃焼温度が高くなり過ぎることを防止して、ＲａｗＮＯｘの抑制と共に、冷却損失の低減が図られる。尚、気筒１１内に導入する空気量を調整するために、吸気ＶＶＴ２３により吸気弁２１の閉弁時期を吸気下死点以降において調整してもよいし（いわゆる、吸気弁２１の遅閉じ）、スロットル弁３１の開度を調整してもよい。
【００８１】
高負荷領域Ｂでは、燃料噴射量が相対的に多くかつ、混合気の空燃比を理論空燃比に設定していることで、圧縮着火燃焼による気筒１１内の圧力上昇が急峻になって、燃焼騒音が増大してしまう虞がある。そこで、このエンジンシステム１では、高負荷領域Ｂでは、その燃料噴射の開始タイミングを、低負荷領域Ａにおける燃料噴射の開始タイミングに対して遅角している。高負荷領域Ｂにおける燃料の噴射開始タイミングは、圧縮行程終期から膨張行程初期の期間内で設定される。膨張行程の初期は、膨張行程を初期、中期及び終期の三つに三等分したときの初期に相当する。燃料の噴射開始タイミングを遅らせることで、圧縮着火のタイミングが遅れて、圧縮着火燃焼を、圧縮上死点から離して、気筒１１内の圧力が次第に低下する膨張行程において行うことが可能になる。その結果、圧縮着火燃焼に伴う気筒１１内の圧力上昇が急峻になることが抑制され、燃焼騒音を低減することが可能になる。高負荷領域Ｂでは、インジェクタ６による燃料噴射を、一括で行ってもよいし、エンジントルクを生成する主燃焼（１サイクル中で最も大きな熱量を発生させる燃焼）を生じさせるための主噴射と、その主噴射の前に行う前段噴射とに分けて行ってもよい。
【００８２】
ここで、低負荷領域Ａと高負荷領域Ｂとを比較したときに、高負荷領域Ｂの方が、ＥＧＲ率が高く設定される場合がある。また、低負荷領域Ａにおける混合気の空燃比は理論空燃比よりもリーンであるのに対し、高負荷領域Ｂにおける混合気の空燃比は理論空燃比であり、２つの領域Ａ、Ｂでの空燃比は異なるため、図６の下図に示すように、低負荷領域Ａと高負荷領域Ｂとの切り換え負荷において、燃料噴射量は不連続的に変更される（つまり、段差が生じている）。
【００８３】
（気筒内でのオゾン生成）
高負荷領域Ｂでは、前述の通り、燃料の噴射タイミングを遅らせて、圧縮着火燃焼の燃焼時期を遅角させている。このエンジン１０はさらに、高負荷領域Ｂにおいて、必要に応じて、自着火を誘発するオゾンを、燃焼室１７で吸気から直接生成することで、圧縮着火燃焼の安定化を図っている。オゾンを、燃焼室１７内で直接生成することにより、オゾン生成効率やエネルギの利用効率の向上、燃焼室１７内での吸気との適切な混合、制御のレスポンスの向上等が実現する。
【００８４】
具体的には、気筒１１を形成しているシリンダヘッド１３やシリンダブロック１２等にはアースが施されているため、電極７１ｂに短パルス高電圧が印加されると、気筒１１の内面（具体的には、燃焼室１７の内面）と、電極７１ｂとによってアノード及びカソードが構成され、これらの間で放電が生じる（電極７１ｂがアノードに相当し、気筒１１がカソードに相当する）。
【００８５】
印加される電圧は、所定の短パルス高電圧に制御されているので、燃焼室１７では、ストリーマ放電のみが発生する。従って、火花や熱が生じる虞はない。誘電体も介在していないし、燃焼室１７で直接生成されるため、高いオゾン生成効率やエネルギの利用効率が得られる。
【００８６】
高電圧制御器７２は、吸気行程、圧縮行程、及び膨張行程の、少なくともいずれかで作動をして、気筒１１内にオゾンを生成する。例えば、吸気弁２１が開弁して、燃焼室１７に吸気が導入しているときに同期して、電極７１ｂに短パルス高電圧を印加してもよい。そうすることで、放電が生じる電極７１ｂの近傍（放電空間）では、絶えず吸気（酸素）が供給され、生成されたオゾンと吸気とが入れ替わる。
【００８７】
その結果、オゾンの飽和濃度の影響をほとんど受けることなく、オゾンを生成できるので、より高度なオゾン生成効率やエネルギの利用効率を得ることができる。また、オゾンと吸気との混合も促進される。
【００８８】
また、高電圧制御器７２が、圧縮行程又は膨張行程中にオゾンを生成するときには、インジェクタ６により燃料を噴射することに同期して、電極７１ｂに短パルス高電圧を印加してもよい。そうすることで、図７に示すように、密閉された燃焼室１７内で、噴射される燃料の勢いによって空気が流動し、それにより、放電空間では、オゾンと空気とが入れ替わり、高いオゾン生成効率を維持した状態でオゾンが生成される。尚、圧縮行程又は膨張行程中にオゾンを生成するときに、燃料噴射に同期しないで、オゾンを生成することも可能である。
【００８９】
さらに、圧縮着火燃焼の最中に、電極７１ｂに短パルス高電圧を印加してオゾンを生成してもよい。
【００９０】
気筒１１内に噴射された燃料は、オゾンによってエネルギが付与され、容易に自己着火燃焼する。つまり、オゾンは、燃料の圧縮着火をアシストする。また、オゾンは、圧縮着火後の燃焼も促進し、膨張行程期間中の燃焼に対しては、後燃えを短縮させて圧縮着火燃焼の燃焼期間を短くする。これは、圧縮着火燃焼の安定化と共に、熱効率を高める。
【００９１】
オゾン生成部７によって発生するオゾンの濃度は、例えばエンジン１０の負荷が高いほど高くしてもよい。オゾンの濃度が高いほど、圧縮着火のアシストは強くなり、気筒１１内の温度が低くても圧縮着火が可能になる、又は、着火タイミングが早くなる。一方、オゾン濃度を高くすることは、燃費の悪化や、エンジン１０の腐食には不利である。そこで、必要最低限のオゾンを供給するように、オゾンの濃度は、エンジン１０の負荷が高いほど高くしてもよい。
【００９２】
（加速時におけるエンジン制御）
次に、低負荷領域Ａの運転状態から高負荷領域Ｂの運転状態に移行するような、加速時におけるエンジン制御について、図８に示すタイムチャートを参照しながら説明する。前述したように、低負荷領域Ａにおいては、混合気の空燃比が、理論空燃比よりもリーンに設定されると共に、ＥＧＲ率が相対的に低くなり得るのに対し、高負荷領域Ｂにおいては、混合気の空燃比が、理論空燃比に設定されると共に、ＥＧＲ率が相対的に高くなり得る。その結果、低負荷領域Ａの運転状態から、高負荷領域Ｂの運転状態に移行する加速時には、気筒１１内に導入される空気量及び排気ガス量を、大きく増減しなければならない。しかしながら、気筒１１内に導入されるガス量の増減は、エンジン１０の運転状態の変化に対して遅れが生じ、そのことが、移行過渡時の圧縮着火燃焼のコントロールを困難にする。このエンジンシステム１では、ガス量の増減遅れが生じる加速時において、燃料噴射に係る制御を実行することで、圧縮着火燃焼のコントロールを可能にする。
【００９３】
具体的に図８に示すタイムチャートは、図６において矢印で示すように、低負荷領域Ａにおける相対的に負荷の低い運転状態（ＥＧＲ率が相対的に低く設定される負荷）から、高負荷領域Ｂにおける相対的に負荷の低い運転状態（ＥＧＲ率が比較的高く設定される負荷）へと、エンジン１０の運転状態が移行する際の、アクセル開度、ＥＧＲ率、Ａ／Ｆ、吸入空気量、燃料噴射量、燃料の噴射開始時期、及び噴射リタード量、の変化を示している。
【００９４】
先ず、低負荷領域Ａにおける運転状態では、同図（ｂ）に示すように、ＥＧＲ率が相対的に低く設定されかつ、同図（ｄ）に示すように、吸入空気量が相対的に多く設定される。また、同図（ｅ）に示すように、燃料噴射量が相対的に少なく設定され、同図（ｃ）に示すように、混合気の空燃比は、理論空燃比よりもリーン（Ａ／Ｆ＝５０）に設定される。燃料の噴射開始タイミングは、同図（ｆ）に示すように、相対的に進角側に設定される。
【００９５】
この状態から、時刻ｔ１において、アクセルペダルが踏み込まれて、時刻ｔ２でアクセル開度が所定開度に到達したとする（図８（ａ））。この加速は、アクセル開度の時間変化率が所定値よりも高い加速（緩加速ではなく急加速に近い加速）である。
【００９６】
同図（ｅ）に示すように、アクセル開度の増大に対応して、燃料噴射量が増大すると共に、噴射時期は、低負荷領域Ａにおける相対的に進角側のタイミングから、高負荷領域Ｂにおいて設定される、相対的に遅角側のタイミングへと、燃料噴射量が増大するに伴い遅角される。
【００９７】
アクセルペダルの踏み込み開始後、目標のＥＧＲ率は、同図（ｂ）に破線で示すように、高負荷領域Ｂにおいて設定される、相対的に高いＥＧＲ率となるように変更される。しかしながら、ＥＧＲ通路５１を通じた排気ガスの還流量は、応答性が低いため、増量が遅れる。図８に示すような加速時には、同図（ｂ）に実線で示すように、実際のＥＧＲ率は、目標のＥＧＲ率よりも低くなる。その結果、同図（ｄ）に実線で示すように、気筒１１内に導入される空気量は、同図に破線で示す目標の空気量よりも多い状態となる。尚、実ＥＧＲ率の変化、及び、気筒１１内に導入される空気量の変化は、加速時におけるモデルを予め設定しておくことで推定が可能である。
【００９８】
混合気の空燃比は、前述したように燃料噴射量を増量することに伴い、理論空燃比に近づくように次第に小さくなるものの、気筒１１内に導入される空気量が目標よりも多い状態であるため、図例では、時刻ｔ２で、空燃比が３０に到達する。混合気の空燃比を３０よりも低くしてしまうと、燃焼温度が高くなりすぎてＲａｗＮＯｘの増大を招いてしまう。そこで、このエンジンシステム１では、時刻ｔ２以降で、気筒１１内に導入される空気量に応じて、混合気の空燃比が理論空燃比となるように、目標の燃料噴射量（つまり、移行先の運転状態において設定されている燃料噴射量、同図（ｅ）の破線参照）よりも、燃料噴射量を増量する。こうして、混合気の空燃比を理論空燃比にすることで、三元触媒を利用した排気ガスの浄化が可能になり、過渡時においても、排気エミッション性能を良好に維持することが可能になる。
【００９９】
燃料噴射量を目標よりも増量することにより、圧縮着火のタイミングが早まり、それによって、圧縮着火燃焼による気筒１１内の圧力上昇が急峻になって燃焼騒音が増大してしまう虞がある。また、燃料噴射量を目標よりも増量するため、目標トルク以上のトルクが生成される可能性がある。そこで、このエンジンシステム１では、前述の通り、燃料噴射量を目標よりも増量したときには、燃料の噴射開始タイミングを目標の噴射タイミング、つまり、移行先である高負荷領域Ｂの運転状態において設定されている噴射タイミング（同図（ｆ）の破線参照）よりも遅角させる。尚、同図（ｇ）は、目標の噴射開始タイミングに対する、制御上の噴射開始タイミングの遅角量（リタード量）を示している。
【０１００】
噴射開始タイミングを遅らせることによって、圧縮着火のタイミングが遅れ、圧縮着火燃焼の燃焼時期が遅くなる。図例では、噴射開始タイミングを、圧縮上死点以降にまで遅角することで、圧縮上死点から離れたタイミングで圧縮着火をして、モータリング時には気筒１１内の圧力が次第に低下する膨張行程期間内で、燃焼するようになる。こうして圧縮着火燃焼をコントロールすることで、圧縮着火燃焼による気筒１１内の圧力上昇が、急峻になってしまうことが回避される。これは、燃焼騒音が増大してしまうことを防止する。また、目標以上のトルクが生成されることも防止され、トルクショックが回避される。
【０１０１】
このように燃料噴射量を目標よりも増量しかつ、燃料の噴射開始タイミングを目標よりも遅角させる噴射時期リタード制御を実行しているときには、同図（ｇ）に示すように、気筒１１内でオゾンを生成させてもよい。オゾンは、燃料の噴射タイミングに同期して生成する、及び／又は、圧縮着火燃焼の最中に生成する、とすればよい。燃料の噴射開始タイミングを遅らせたときでも、オゾンの生成によって、安定して圧縮着火するようになると共に、圧縮着火燃焼の安定化が図られる。
【０１０２】
噴射時期リタード制御の実行中は、ＥＧＲ率の上昇及び気筒１１内への空気量の減少に対応して、燃料噴射量が次第に減量されると共に、噴射リタード量も次第に小さくなる。
【０１０３】
そして、同図（ｂ）に示すように、時刻ｔ３で、目標に対して遅れていたＥＧＲ率が、目標ＥＧＲ率に追いつけば、同図（ｄ）に示すように、気筒１１内に導入される空気量も目標の空気量まで減ることになる。そこで、燃料噴射量の増量を終了する（同図（ｅ））と共に、噴射開始タイミングの遅角制御も終了する（同図（ｆ）、（ｇ））。こうして、加速時における噴射時期リタード制御が終了し、高負荷領域Ｂへの移行が完了する。つまり、ＥＧＲ率が相対的に高く設定され（同図（ｂ））、混合気の空燃比が理論空燃比に設定され（同図（ｃ））、吸入空気量が相対的に少なく設定され（同図（ｄ））、燃料噴射量が相対的に多く設定され（同図（ｅ））、噴射開始タイミングが相対的に遅角側に設定される（同図（ｆ））。
【０１０４】
（減速時におけるエンジン制御）
次に、高負荷領域Ｂの運転状態から低負荷領域Ａの運転状態に移行するような、減速時におけるエンジン制御について、図９に示すタイムチャートを参照しながら説明する。前述したように、高負荷領域Ｂにおいては、混合気の空燃比が理論空燃比に設定されると共に、ＥＧＲ率が相対的に高くなり得るのに対し、低負荷領域Ａにおいては、混合気の空燃比が、理論空燃比よりもリーンに設定されると共に、ＥＧＲ率が相対的に低くなり得る。その結果、減速時においても、気筒１１内に導入される空気量及び排気ガス量を、大きく増減しなければならない。このエンジンシステム１では、ガス量の増減遅れが生じる減速時においても、加速時と同様に、燃料噴射に係る制御を実行することで、圧縮着火燃焼のコントロールを可能にする。
【０１０５】
具体的に図９に示すタイムチャートは、図６において矢印で示すように、高負荷領域Ｂにおける相対的に負荷の低い運転状態（ＥＧＲ率が比較的高く設定される負荷）から、低負荷領域Ａにおける相対的に負荷の低い運転状態（ＥＧＲ率が相対的に低く設定される負荷）へと、エンジン１０の運転状態が移行する際の、アクセル開度、ＥＧＲ率、Ａ／Ｆ、吸入空気量、燃料噴射量、燃料の噴射開始時期、及び噴射リタード量、の変化を示している。この減速時においては、減速燃料カットは行われない。
【０１０６】
先ず、高負荷領域Ｂにおける運転状態では、同図（ｂ）に示すように、ＥＧＲ率が相対的に高く設定されかつ、同図（ｄ）に示すように、吸入空気量が相対的に少なく設定される。また、同図（ｅ）に示すように、燃料噴射量が相対的に多く設定され、同図（ｃ）に示すように、混合気の空燃比は、理論空燃比（Ａ／Ｆ＝１４．７）に設定される。燃料の噴射開始タイミングは、同図（ｆ）に示すように、相対的に遅角側（圧縮上死点付近）に設定される。
【０１０７】
この状態から、時刻ｔ１において、踏み込まれていたアクセルペダルが戻されて、時刻ｔ２でアクセル開度が所定開度に到達したとする（図９（ａ））。この減速は、アクセル開度の時間変化率が所定値よりも高い減速（緩減速ではなく急減速に近い加速）である。
【０１０８】
同図（ｅ）に破線で示すように、アクセル開度の減少に伴い、目標となる燃料噴射量は減少する。また、同図（ｂ）に破線で示すように、目標のＥＧＲ率も、移行先である低負荷領域Ａにおいて設定される低ＥＧＲ率となるよう、低下する。しかしながら、前述したように、ＥＧＲ率の変化は、同図（ｂ）に実線で示すように遅れが生じ、実際のＥＧＲ率は、目標のＥＧＲ率よりも高くなる。その結果、気筒１１内に導入される空気量は、同図（ｄ）に破線で示す目標の空気量に対して、少なくなる（同図（ｄ）の実線参照）。尚、実ＥＧＲ率の変化、及び、気筒１１内に導入される空気量の変化は、減速時におけるモデルを予め設定しておくことで推定が可能である。
【０１０９】
燃料噴射量を目標値に従って減らしてしまうと、混合気の空燃比が、ＲａｗＮＯｘの生成を招く中間空燃比（１．１＜Ａ／Ｆ＜３０）となってしまう。そこで、このエンジンシステム１では、気筒１１内へ導入する空気量が不足する減速時には、気筒１１内に導入される空気量に応じて、混合気の空燃比が理論空燃比となるように、目標の燃料噴射量（つまり、移行先の運転状態において設定されている燃料噴射量、同図（ｅ）の破線参照）よりも、燃料噴射量を増量する。こうして、混合気の空燃比を理論空燃比にすることで、三元触媒を利用した排気ガスの浄化が可能になり、過渡時においても、排気エミッション性能を良好に維持することが可能になる。
【０１１０】
燃料噴射量を目標よりも増量することにより、圧縮着火のタイミングが早まり、それによって、圧縮着火燃焼による気筒１１内の圧力上昇が急峻になって燃焼騒音が増大してしまう虞がある。また、減速時において、燃料噴射量を目標よりも増量するため、目標トルク以上のトルクが生成されて、減速感が阻害される可能性がある。そこで、このエンジンシステム１では、前述の通り、燃料噴射量を目標よりも増量したときには、燃料の噴射開始タイミングを目標の噴射タイミング、つまり、移行先である低負荷領域Ａの運転状態において設定されている噴射タイミング（同図（ｆ）の破線参照）よりも遅角させる。尚、同図（ｇ）は、目標の噴射開始タイミングに対する、制御上の噴射開始タイミングの遅角量（リタード量）を示している。
【０１１１】
噴射開始タイミングを遅らせることによって、圧縮着火のタイミングが遅れ、圧縮着火燃焼の燃焼時期が遅くなる。図例では、噴射開始タイミングを、圧縮上死点以降にまで遅角することで、圧縮上死点から離れたタイミングで、圧縮着火をして燃焼するようになる。こうして圧縮着火燃焼をコントロールすることで、圧縮着火燃焼による気筒１１内の圧力上昇が、急峻になってしまうことが回避される。これは、燃焼騒音が増大してしまうことを防止する。また、目標以上のトルクが生成されることも防止され、十分な減速感が得られる。
【０１１２】
このように燃料噴射量を目標よりも増量しかつ、燃料の噴射開始タイミングを目標よりも遅角させる噴射時期リタード制御を実行しているときには、同図（ｇ）に示すように、気筒１１内でオゾンを生成させてもよい。オゾンは、燃料の噴射タイミングに同期して生成する、及び／又は、圧縮着火燃焼の最中に生成する、とすればよい。オゾンの生成によって、燃料の噴射開始タイミングを遅らせたときでも、安定して圧縮着火するようになると共に、圧縮着火燃焼の安定化が図られる。
【０１１３】
噴射時期リタード制御の実行中は、ＥＧＲ率の低減及び気筒１１内への空気量の増大に対応して、燃料噴射量が次第に増量されると共に、噴射リタード量も次第に大きくなる。そうして、気筒１１内に導入される空気量が次第に増えて、図例では、時刻ｔ３において、混合気の空燃比を、中間Ａ／Ｆを超えてリーンにすることが可能になる（Ａ／Ｆ＝３０以上）。そこで、このエンジンシステム１は、混合気の空燃比を、理論空燃比からＡ／Ｆ＝３０となるように、増量していた燃料噴射量を急減する（同図（ｅ））と共に、噴射の開始タイミングも、進角側へと急変する（同図（ｆ））。こうして、リタード量は少なくなる（同図（ｇ））。これにより、ＲａｗＮＯｘの生成を抑制しながら、燃料噴射量を低減することが可能になる。
【０１１４】
時刻ｔ３以降は、同図（ｄ）に示すように気筒１１内に導入される空気量が増えることに対応して、混合気の空燃比が目標空燃比（つまり、移行先である低負荷領域Ａにおいて設定されている空燃比であり、図例ではＡ／Ｆ＝５０）となるように、燃料噴射量を次第に減らし（同図（ｅ））、それに対応するように、燃料の噴射開始タイミングも進角させる（同図（ｆ））。尚、時刻ｔ３以降において、オゾンを生成するようにしてもよい。
【０１１５】
そうして、時刻ｔ４において、ＥＧＲ率が目標ＥＧＲ率に到達し、気筒１１内に導入される空気量も、目標の空気量に到達すれば、燃料噴射量の増量を終了する（同図（ｅ））と共に、噴射開始タイミングの遅角制御も終了する（同図（ｆ）、（ｇ））。こうして、減速時における噴射時期リタード制御が終了し、低負荷領域Ａへの移行が完了する。つまり、ＥＧＲ率が相対的に低く設定され（同図（ｂ））、混合気の空燃比が理論空燃比よりもリーン（Ａ／Ｆ＝５０）に設定され（同図（ｃ））、吸入空気量が相対的に多く設定され（同図（ｄ））、燃料噴射量が相対的に少なく設定され（同図（ｅ））、噴射開始タイミングが相対的に進角側に設定される（同図（ｆ））。
【０１１６】
尚、前記の構成では、自然吸気エンジンを例に本技術を説明したが、ターボ過給機を備えたエンジンに、本技術を適用することも可能である。
【０１１７】
従って、圧縮着火式エンジンの制御装置（エンジンシステム１）は、気筒１１を有するよう構成されたエンジン１０と、気筒１１内に、ガソリンを含有する燃料を噴射するよう構成されたインジェクタ６と、前記気筒１１内に導入する空気量を調整するよう構成された空気量調整手段（ＥＧＲシステム５０、スロットル弁３１、吸気ＶＶＴ２３）と、前記ＥＧＲシステム５０及びスロットル弁３１を通じて前記気筒１１内に導入する空気量を調整すると共に、前記インジェクタ６を通じて、前記エンジン１０の負荷に対応する量の燃料を、前記エンジン１０の運転状態に応じて設定されたタイミングで噴射し、それによって形成される気筒１１内の混合気を圧縮着火により燃焼させることで、前記エンジン１０を運転するよう構成された制御部（ＥＣＭ１００）と、を備える。
【０１１８】
そして、前記ＥＣＭ１００は、前記エンジン１０の運転状態が所定負荷よりも低い低負荷領域Ａにあるときに、前記混合気の空燃比を理論空燃比よりもリーンの所定空燃比にし（Ａ／Ｆ≧３０）かつ、前記エンジン１０の運転状態が前記所定負荷以上の高負荷領域Ｂにあるときに、前記低負荷領域Ａよりも前記気筒１１内に導入する空気量を少なくかつ、前記混合気の空燃比を前記所定空燃比よりもリッチにし（Ａ／Ｆ＝１４．７）、前記ＥＣＭ１００は、前記高負荷領域Ｂ内の運転状態と前記低負荷領域Ａ内の運転状態との間で、前記エンジン１０の運転状態が移行する過渡時に、前記混合気の空燃比を理論空燃比にすると共に、前記燃料の噴射タイミングを、移行先の運転状態で設定されているタイミングよりも遅角する噴射時期リタード制御を実行する（図８又は図９参照）。
【０１１９】
前記空気量調整手段は、前記エンジンの排気ガスの一部を、ＥＧＲ通路５１を介して吸気に還流させる排気還流システム（ＥＧＲシステム５０）を含み、前記ＥＣＭ１００は、前記エンジン１０の運転状態が少なくとも前記高負荷領域Ｂ内にあるときには、前記エンジン１０の運転状態に対応して設定されたＥＧＲ率となるように、前記ＥＧＲシステム５０を通じて、排気ガスの一部を吸気に還流する。
【０１２０】
前記ＥＣＭ１００は、前記高負荷領域Ｂ内の、所定ＥＧＲ率となるように設定された高ＥＧＲ運転状態と、前記低負荷領域Ａ内の、前記所定ＥＧＲ率よりも低いＥＧＲ率となるように設定された低ＥＧＲ運転状態との間で、前記エンジン１０の運転状態が移行をする過渡時に、前記噴射時期リタード制御を実行する。
【０１２１】
前記ＥＣＭ１００は、前記低負荷領域Ａ内の前記低ＥＧＲ運転状態から、前記高負荷領域Ｂ内の前記高ＥＧＲ運転状態へと前記エンジン１０の運転状態が移行をする加速時に、実際のＥＧＲ率が、前記高ＥＧＲ運転状態において設定された前記所定ＥＧＲ率に到達するまで、前記噴射時期リタード制御を実行する。
【０１２２】
前記ＥＣＭ１００は、前記高負荷領域Ｂ内の前記高ＥＧＲ運転状態から、前記低負荷領域Ａ内の前記低ＥＧＲ運転状態へと前記エンジン１０の運転状態が移行をする減速時に、前記低負荷領域Ａにおいて設定される前記所定空燃比（Ａ／Ｆ＝３０）となる分の空気量が前記気筒１１内に導入されるまで、前記噴射時期リタード制御を実行する。
【０１２３】
各気筒１１内でオゾンを生成するよう構成されたオゾン生成部７をさらに備え、前記ＥＣＭ１００は、前記噴射時期リタード制御を実行している過渡時に、前記オゾン生成部７を通じて前記気筒１１内でオゾンを生成する。
【０１２４】
このエンジンシステム１によると、加速時及び／又は減速時に、圧縮着火燃焼をコントロールすることができ、排気エミッション性能を良好に維持しつつ、燃焼騒音の増大等を回避することができる。
【符号の説明】
【０１２５】
１  エンジンシステム（制御装置）
１０  エンジン
１１  気筒
１００  ＥＣＭ（制御部）
２３  吸気ＶＶＴ（空気量調整手段）
３１  スロットル弁（空気量調整手段）
５０  ＥＧＲシステム（空気量調整手段）
５１  ＥＧＲ通路
６  インジェクタ
７  オゾン生成部
【図１】
2015190419.tif 000003
【図２】
2015190419.tif 000004
【図３】
2015190419.tif 000005
【図４】
2015190419.tif 000006
【図５】
2015190419.tif 000007
【図６】
2015190419.tif 000008
【図７】
2015190419.tif 000009
【図８】
2015190419.tif 000010
【図９】
2015190419.tif 000011